(57)【要約】【課題】複数のディスプレイの中のどのディスプレイに表示された画像であるかを識別可能な情報を表示できる表示制御プログラムを提供する。【解決手段】表示制御プログラムは、複数のディスプレイに表示される複数の画像情報と、複数のディスプレイを識別する複数の識別情報と、複数のディスプレイの位置関係に関する設定情報とを受け付け、受け付けた複数の画像情報のいずれかの画像情報を自装置のディスプレイに表示するとともに、受け付けた複数の識別情報を、受け付けた設定情報に応じた位置関係で表示する、処理をコンピュータに実行させる。【選択図】図１０
2018067209.tif 000002
【特許請求の範囲】
【請求項１】
複数のディスプレイに表示される複数の画像情報と、前記複数のディスプレイを識別する複数の識別情報と、前記複数のディスプレイの位置関係に関する設定情報とを受け付け、
受け付けた前記複数の画像情報のいずれかの画像情報を自装置のディスプレイに表示するとともに、受け付けた前記複数の識別情報を、受け付けた前記設定情報に応じた位置関係で表示する、
処理をコンピュータに実行させることを特徴とする表示制御プログラム。
【請求項２】
前記いずれかの画像情報を前記自装置のディスプレイの大きさで表示するとともに、前記自装置のディスプレイの大きさより小さな表示領域内に、前記複数の識別情報を前記設定情報に応じた位置関係で表示する、
ことを特徴とする請求項１に記載の表示制御プログラム。
【請求項３】
前記表示領域は、前記いずれかの画像情報に重畳しながら移動可能である、
ことを特徴とする請求項２に記載の表示制御プログラム。
【請求項４】
前記複数の識別情報を、前記設定情報に応じた位置関係で配置した、前記複数のディスプレイの向きに応じた所定の画像上に表示する、
ことを特徴とする請求項１から３のいずれか１項に記載の表示制御プログラム。
【請求項５】
特定の装置により生成された、複数のディスプレイに表示される複数の画像情報と、それぞれが前記複数のディスプレイのいずれかに表示される、前記複数のディスプレイを識別する複数の識別情報とを受け付け、
受け付けた前記複数の識別情報に基づき、前記複数のディスプレイそれぞれに対応付けられた複数の操作部品を自装置のディスプレイに表示し、
表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、
処理をコンピュータに実行させることを特徴とする表示制御プログラム。
【請求項６】
特定の装置により生成された、複数のディスプレイに表示される複数の画像情報と、それぞれが前記複数のディスプレイのいずれかに表示される、前記複数のディスプレイを識別する複数の識別情報とを受け付け、
受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、
処理をコンピュータに実行させることを特徴とする表示制御プログラム。
【請求項７】
複数のディスプレイに表示される複数の画像情報と、前記複数のディスプレイを識別する複数の識別情報と、前記複数のディスプレイの位置関係に関する設定情報とを受け付け、
受け付けた前記複数の画像情報のいずれかの画像情報を自装置のディスプレイに表示するとともに、受け付けた前記複数の識別情報を、受け付けた前記設定情報に応じた位置関係で表示する、
処理をコンピュータが実行することを特徴とする表示制御方法。
【請求項８】
特定の装置により生成された、複数のディスプレイに表示される複数の画像情報と、それぞれが前記複数のディスプレイのいずれかに表示される、前記複数のディスプレイを識別する複数の識別情報とを受け付け、
受け付けた前記複数の識別情報に基づき、前記複数のディスプレイそれぞれに対応付けられた複数の操作部品を自装置のディスプレイに表示し、
表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、
処理をコンピュータが実行することを特徴とする表示制御方法。
【請求項９】
特定の装置により生成された、複数のディスプレイに表示される複数の画像情報と、それぞれが前記複数のディスプレイのいずれかに表示される、前記複数のディスプレイを識別する複数の識別情報とを受け付け、
受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、
処理をコンピュータが実行することを特徴とする表示制御方法。
【請求項１０】
複数のディスプレイに表示される複数の画像情報と、前記複数のディスプレイを識別する複数の識別情報と、前記複数のディスプレイの位置関係に関する設定情報とを受け付け、
受け付けた前記複数の画像情報のいずれかの画像情報を自装置のディスプレイに表示するとともに、受け付けた前記複数の識別情報を、受け付けた前記設定情報に応じた位置関係で表示する、
処理を実行する処理部を含むことを特徴とする表示制御装置。
【請求項１１】
特定の装置により生成された、複数のディスプレイに表示される複数の画像情報と、それぞれが前記複数のディスプレイのいずれかに表示される、前記複数のディスプレイを識別する複数の識別情報とを受け付け、
受け付けた前記複数の識別情報に基づき、前記複数のディスプレイそれぞれに対応付けられた複数の操作部品を自装置のディスプレイに表示し、
表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、
処理を実行する処理部を含むことを特徴とする表示制御装置。
【請求項１２】
特定の装置により生成された、複数のディスプレイに表示される複数の画像情報と、それぞれが前記複数のディスプレイのいずれかに表示される、前記複数のディスプレイを識別する複数の識別情報とを受け付け、
受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、
処理を実行する処理部を含むことを特徴とする表示制御装置。
【発明の詳細な説明】
【技術分野】
【０００１】
本件は、表示制御プログラム、表示制御方法、及び表示制御装置に関する。
【背景技術】
【０００２】
複数のディスプレイと接続されたサーバ装置が知られている。また、ネットワークを介して接続されたサーバ装置と画面を共有するクライアント装置も知られている（例えば特許文献１参照）。
【先行技術文献】
【特許文献】
【０００３】
【特許文献１】特開２０１０−１５７００５号公報
【発明の概要】
【発明が解決しようとする課題】
【０００４】
ところで、１つのディスプレイが接続されたクライアント装置を使用するユーザと複数のディスプレイが接続されたサーバ装置を使用するユーザがそれぞれ手元のディスプレイに表示された画像を見ながら、例えば電話により画像の内容について話し合うことがある。この際、クライアント装置とサーバ装置との間で画像を共有し、共有した画像をクライアント装置のユーザが見る一方で、共有した画像と異なる画像をサーバ装置のユーザが見ながら話し合うと、話し合う対象の画像が異なるため、話し合いが円滑に進まなくなるおそれがある。
【０００５】
そこで、１つの側面では、複数のディスプレイの中のどのディスプレイに表示された画像であるかを識別可能な情報を表示できる表示制御プログラム、表示制御方法、及び表示制御装置を提供することを目的とする。
【課題を解決するための手段】
【０００６】
１つの実施態様では、表示制御プログラムは、複数のディスプレイに表示される複数の画像情報と、前記複数のディスプレイを識別する複数の識別情報と、前記複数のディスプレイの位置関係に関する設定情報とを受け付け、受け付けた前記複数の画像情報のいずれかの画像情報を自装置のディスプレイに表示するとともに、受け付けた前記複数の識別情報を、受け付けた前記設定情報に応じた位置関係で表示する、処理をコンピュータに実行させることを特徴とする表示制御プログラムである。
【０００７】
１つの実施態様では、表示制御プログラムは、特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の識別情報に基づき、前記複数のディスプレイそれぞれに対応付けられた複数の操作部品を自装置のディスプレイに表示し、表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、処理をコンピュータに実行させることを特徴とする表示制御プログラムである。
【０００８】
１つの実施態様では、表示制御プログラムは、特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、処理をコンピュータに実行させることを特徴とする表示制御プログラムである。
【０００９】
１つの実施態様では、表示制御方法は、複数のディスプレイに表示される複数の画像情報と、前記複数のディスプレイを識別する複数の識別情報と、前記複数のディスプレイの位置関係に関する設定情報とを受け付け、受け付けた前記複数の画像情報のいずれかの画像情報を自装置のディスプレイに表示するとともに、受け付けた前記複数の識別情報を、受け付けた前記設定情報に応じた位置関係で表示する、処理をコンピュータが実行することを特徴とする表示制御方法である。
【００１０】
１つの実施態様では、表示制御方法は、特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の識別情報に基づき、前記複数のディスプレイそれぞれに対応付けられた複数の操作部品を自装置のディスプレイに表示し、表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、処理をコンピュータが実行することを特徴とする表示制御方法である。
【００１１】
１つの実施態様では、表示制御方法は、特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、処理をコンピュータが実行することを特徴とする表示制御方法である。
【００１２】
１つの実施態様では、表示制御装置は、複数のディスプレイに表示される複数の画像情報と、前記複数のディスプレイを識別する複数の識別情報と、前記複数のディスプレイの位置関係に関する設定情報とを受け付け、受け付けた前記複数の画像情報のいずれかの画像情報を自装置のディスプレイに表示するとともに、受け付けた前記複数の識別情報を、受け付けた前記設定情報に応じた位置関係で表示する、処理を実行する処理部を含むことを特徴とする表示制御装置である。
【００１３】
１つの実施態様では、表示制御装置は、特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の識別情報に基づき、前記複数のディスプレイそれぞれに対応付けられた複数の操作部品を自装置のディスプレイに表示し、表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、処理を実行する処理部を含むことを特徴とする表示制御装置である。
【００１４】
１つの実施態様では、表示制御装置は、特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、処理を実行する処理部を含むことを特徴とする表示制御装置である。
【発明の効果】
【００１５】
複数のディスプレイの中のどのディスプレイに表示された画像であるかを識別可能な情報を表示することができる。
【図面の簡単な説明】
【００１６】
【図１】図１は情報処理システムの一例を説明するための図である。
【図２】図２はリモート接続端末における制御装置のハードウェア構成の一例である。
【図３】図３はリモート接続端末、サーバ装置及び被接続端末の機能ブロック図の一例である。
【図４】図４は第１実施形態に係る機器一覧画面の一例である。
【図５】図５は機器操作を展開した図の一例である。
【図６】図６は第１実施形態に係るリモート操作画面の一例である。
【図７】図７はリモート接続端末の動作の一例を示すフローチャートである。
【図８】図８は被接続端末の動作の一例を示すフローチャートである。
【図９】図９はリモート接続端末の動作の一例を示すフローチャート（その２）である。
【図１０】図１０は第１実施形態に係るモニタウィンドウの一例である。
【図１１】図１１はリモート接続端末の動作の一例を示すフローチャート（その３）である。
【図１２】図１２は第２実施形態に係る機器一覧画面の一例である。
【図１３】図１３は第２実施形態に係るリモート操作画面の一例である。
【図１４】図１４は第２実施形態に係るモニタウィンドウの一例である。
【図１５】図１５は切替ウィンドウに出現する選択用ディスプレイの配置の一例について説明する図である。
【発明を実施するための形態】
【００１７】
以下、本件を実施するための形態について図面を参照して説明する。
【００１８】
（第１実施形態）
図１は情報処理システムＳの一例を説明するための図である。情報処理システムＳは表示制御装置としてのリモート接続端末１００とサーバ装置２００と複数の被接続端末３００，３１０，３２０を備えている。リモート接続端末１００とサーバ装置２００と複数の被接続端末３００，３１０，３２０は通信ネットワークＮＷによって互いに接続されている。通信ネットワークＮＷとしては例えば有線や無線によるLocal Area Network（ＬＡＮ）がある。尚、図１では、リモート接続端末１００及び被接続端末３００，３１０，３２０の一例としてPersonal Computer（ＰＣ）が示されているが、リモート接続端末１００及び被接続端末３００，３１０，３２０はＰＣに限定されず、例えばタブレット端末といった無線通信機能を有するスマートデバイスであってもよい。
【００１９】
リモート接続端末１００とサーバ装置２００は例えば医療機関のサーバ室Ｚに設置される。一方、被接続端末３００，３１０，３２０は例えばその医療機関の第１診察室Ａ、第２診察室Ｂ，第３診察室Ｃにそれぞれ設置される。被接続端末３００，３１０，３２０は医師や看護師といった医療従事者によって電子カルテ端末として操作される。被接続端末３００，３１０，３２０は医療従事者による操作に基づいてサーバ装置２００にアクセスし、サーバ装置２００から診療に要する情報を取得し、取得した情報を表示する。すなわち、サーバ装置２００は電子カルテサーバの機能を備えている。
【００２０】
また、サーバ装置２００は医療機関に設置された複数の被接続端末３００，３１０，３２０を管理する機器情報を記憶する。すなわち、サーバ装置２００はDatabase（ＤＢ）サーバの機能も備えている。さらに詳細は後述するが、サーバ装置２００はDomain Name System（ＤＮＳ）サーバの機能も備えている。尚、電子カルテサーバの機能、ＤＢサーバの機能、ＤＮＳサーバの機能はそれぞれ別個のサーバ装置２００に分けられていてもよい。ここで、上述した機器情報は、被接続端末３００，３１０，３２０を識別する端末ＩＤやコンピュータ名、被接続端末３００，３１０，３２０に割り当てられたInternet Protocol（ＩＰ）アドレスやMedia Access Control（ＭＡＣ）アドレス、被接続端末３００，３１０，３２０の接続形態が有線のＬＡＮか無線のＬＡＮかを識別するネットワーク種別などを含んでいる。
【００２１】
リモート接続端末１００は機器情報を管理する管理者によって使用される。例えば、管理者による操作に基づいてリモート接続端末１００は被接続端末３００に接続し、被接続端末３００が画像として表示する画面（以下、リモート画面という）の画面情報やリモート画面の設定に関する設定情報を取得する。設定情報としては、例えば画面の位置関係や画面の向き、画面の大きさ（例えば解像度）、色深度などがある。特に、被接続端末３００が複数のディスプレイを有する場合（いわゆるマルチディスプレイタイプである場合）には、リモート接続端末１００は複数のディスプレイを識別する識別情報も画面情報及び設定情報と併せて取得する。リモート接続端末１００は画面情報や設定情報を取得すると、取得した画面情報と設定情報とに応じたリモート画面をリモート接続端末１００自身が表示する画面（以下、自画面という）に重畳して表示する。リモート接続端末１００は識別情報も取得した場合には、取得した識別情報を設定情報に応じた位置関係でリモート画面に重畳して表示する。これにより、リモート接続端末１００を操作する管理者は被接続端末３００が有する複数のディスプレイを識別することができる。
【００２２】
以下、情報処理システムＳの詳細について図面を参照して説明する。
図２はリモート接続端末１００における制御装置７５０のハードウェア構成の一例である。尚、サーバ装置２００、及び被接続端末３００，３１０，３２０については基本的に制御装置７５０と同様の構成であるため、説明を省略する。
【００２３】
制御装置７５０は、少なくともCentral Processing Unit（ＣＰＵ）１００Ａ、Random Access Memory（ＲＡＭ）１００Ｂ、Read Only Memory（ＲＯＭ）１００Ｃ、及びネットワークＩ／Ｆ（インタフェース）１００Ｄを含んでいる。制御装置７５０は、必要に応じて、Hard Disk Drive（ＨＤＤ）１００Ｅ、入力Ｉ／Ｆ１００Ｆ、出力Ｉ／Ｆ１００Ｇ、入出力Ｉ／Ｆ１００Ｈ、ドライブ装置１００Ｉの少なくとも１つを含んでいてもよい。ＣＰＵ１００Ａからドライブ装置１００Ｉまでは、内部バス１００Ｊによって互いに接続されている。少なくともＣＰＵ１００ＡとＲＡＭ１００Ｂとが協働することによってコンピュータが実現される。
【００２４】
入力Ｉ／Ｆ１００Ｆには、キーボード７１０が接続される。キーボード７１０と併せてマウスなどの入力装置が入力Ｉ／Ｆ１００Ｆに接続されてもよい。
出力Ｉ／Ｆ１００Ｇには、ディスプレイ７２０が接続される。ディスプレイ７２０としては、例えば液晶ディスプレイがある。
入出力Ｉ／Ｆ１００Ｈには、半導体メモリ７３０が接続される。半導体メモリ７３０としては、例えばＵＳＢメモリやフラッシュメモリなどがある。入出力Ｉ／Ｆ１００Ｈは、半導体メモリ７３０に記憶されたプログラムやデータを読み取る。
入力Ｉ／Ｆ１００Ｆ及び入出力Ｉ／Ｆ１００Ｈは、例えばＵＳＢポートを備えている。出力Ｉ／Ｆ１００Ｇは、例えばディスプレイポートを備えている。
【００２５】
ドライブ装置１００Ｉには、可搬型記録媒体７４０が挿入される。可搬型記録媒体７４０としては、例えばCompact Disc（ＣＤ）−ＲＯＭ、Digital Versatile Disc（ＤＶＤ）といったリムーバブルディスクがある。ドライブ装置１００Ｉは、可搬型記録媒体７４０に記録されたプログラムやデータを読み込む。
ネットワークＩ／Ｆ１００Ｄは、例えばポートとPhysical Layer Chip（ＰＨＹチップ）とを備えている。リモート接続端末１００は、ネットワークＩ／Ｆ１００Ｄを介して通信ネットワークＮＷと接続される。
【００２６】
上述したＲＡＭ１００Ｂには、ＲＯＭ１００ＣやＨＤＤ１００Ｅに記憶されたプログラムがＣＰＵ１００Ａによって格納される。ＲＡＭ１００Ｂには、可搬型記録媒体７４０に記録されたプログラムがＣＰＵ１００Ａによって格納される。格納されたプログラムをＣＰＵ１００Ａが実行することにより、制御装置７５０は後述する各種の機能を実現し、また、後述する各種の処理を実行する。尚、プログラムは後述するフローチャートに応じたものとすればよい。
【００２７】
図３はリモート接続端末１００、サーバ装置２００及び被接続端末３００の機能ブロック図の一例である。尚、図３において、被接続端末３１０，３２０は省略されているが、被接続端末３１０，３２０が備える機能は基本的に被接続端末３００と同様であるため説明を省略する。
【００２８】
まず、リモート接続端末１００について説明する。リモート接続端末１００は、図３に示すように、キーボード７１０、ディスプレイ７２０、及び制御装置７５０を備えている。特に、制御装置７５０は記憶部７５１、通信部７５２、及び処理部としての制御部７５３を含んでいる。尚、記憶部７５１は例えば上述したＨＤＤ１００Ｅによって実現される。通信部７５２は例えば上述したネットワークＩ／Ｆ１００Ｄによって実現される。制御部７５３は例えば上述したＣＰＵ１００Ａ及びＲＡＭ１００Ｂによって実現される。
【００２９】
記憶部７５１は自画面の画面情報や上述したプログラムを記憶する。例えば制御装置７５０が起動すると、制御部７５３は記憶部７５１が記憶する画面情報を取得し、取得した画面情報に応じた自画面をディスプレイ７２０に表示する。例えば制御部７５３がプログラムを実行すると、制御部７５３はプログラムに応じた機能を実現する。
【００３０】
通信部７５２はリモート接続端末１００とサーバ装置２００と被接続端末３００との通信を制御する。例えば、通信部７５２はサーバ装置２００や被接続端末３００から送信された種々の情報（例えば画面情報など）を受信する。例えば、通信部７５２はサーバ装置２００に対して機器情報の一覧を含む所定の画面（以下、機器一覧画面という）を要求する情報を送信したり、被接続端末３００が有する画面情報を要求する情報を送信したりする。
【００３１】
制御部７５３はリモート接続端末１００の全体の動作を制御する。例えば、制御部７５３はキーボード７１０から入力された指示を受け付けると、指示の内容に応じてディスプレイ７２０の表示内容を変更したり、通信部７５２に各種の情報を送信させたりする。例えば、制御部７５３は通信部７５２がサーバ装置２００から送信された情報を受信すると、受信した情報に応じてディスプレイ７２０の表示内容を変更したり、ファイル記憶部７５１に情報を格納したりする。その他、制御部７５３は後述する種々の処理を実行する。
【００３２】
次に、サーバ装置２００について説明する。サーバ装置２００は、図３に示すように、機器情報記憶部２１０と情報処理部２２０を備えている。
尚、機器情報記憶部２１０は例えば上述したＨＤＤ１００Ｅによって実現される。情報処理部２２０は例えば上述したＣＰＵ１００Ａ、ＲＡＭ１００Ｂ及びネットワークＩ／Ｆ１００Ｄによって実現される。
【００３３】
機器情報記憶部２１０は管理対象の機器情報を記憶する。機器情報は、上述した端末ＩＤやコンピュータ名、ＩＰアドレスやＭＡＣアドレス、ネットワーク種別のほか、例えばサブネットマスクや被接続端末３００と接続されたゲートウェイのアドレスなどを構成要素として含んでいる。機器情報により医療機関内に設置された被接続端末３００，３１０，３２０が管理される。
【００３４】
情報処理部２２０は種々の情報処理を実行する。例えば、情報処理部２２０がリモート接続端末１００から機器一覧画面を要求する情報を受け付けると、情報処理部２２０は機器情報記憶部２１０から機器情報を取得する。そして、情報処理部２２０は取得した機器情報の一覧を含む画面情報をリモート接続端末１００に向けて送信する。したがって、リモート接続端末１００がその画面情報を受け付けると、その画面情報に基づいて機器一覧画面を表示する。
【００３５】
次に、被接続端末３００について説明する。被接続端末３００は、図３に示すように、キーボード８１０、複数のディスプレイ８２０、及び制御装置８５０を備えている。特に、制御装置８５０は記憶部８５１、通信部８５２、及び制御部８５３を含んでいる。尚、記憶部８５１は例えば上述したＨＤＤ１００Ｅによって実現される。通信部８５２は例えば上述したネットワークＩ／Ｆ１００Ｄによって実現される。制御部８５３は例えば上述したＣＰＵ１００Ａ及びＲＡＭ１００Ｂによって実現される。
【００３６】
記憶部８５１は複数のディスプレイ８２０にそれぞれ表示されるリモート画面に関する複数の画面情報、各リモート画面の設定に関する設定情報、及び複数のディスプレイ８２０を識別する複数の識別情報を記憶する。例えば制御装置８５０が起動すると、制御部８５３は記憶部８５１が記憶する設定情報と画面情報を取得し、取得した設定情報と画面情報に応じたリモート画面を複数のディスプレイ８２０の少なくともいずれかに表示させる。尚、複数の画面情報は制御部７５３により生成されて記憶部８５１に格納される。
【００３７】
通信部８５２はリモート接続端末１００とサーバ装置２００と被接続端末３００との通信を制御する。例えば、通信部８５２はリモート接続端末１００から要求された種々の情報（例えば接続要求や画面情報など）を受け付ける。例えば、通信部８５２は上述した画面情報、設定情報、及び識別情報を送信する。
【００３８】
制御部８５３は被接続端末３００の全体の動作を制御する。例えば、通信部８５２がリモート接続端末１００から接続要求を受け付けると、制御部８５３は通信部８５２に接続要求に対する応答をリモート接続端末１００に向けて送信させる。例えば、通信部８５２がリモート接続端末１００から画面情報を要求する情報を受け付けると、制御部８５３は記憶部８５１から画面情報、設定情報、及び識別情報を抽出する。制御部８５３は画面情報、設定情報、及び識別情報を抽出すると、通信部８５２に画面情報、設定情報、及び識別情報を対応付けた情報を生成し、当該情報をリモート接続端末１００に向けて送信させる。その他、制御部８５３は種々の処理を実行する。
【００３９】
続いて、図４から図６までを参照して、リモート接続端末１００とサーバ装置２００との処理に関するそれぞれの動作について説明する。
【００４０】
図４は第１実施形態に係る機器一覧画面の一例である。図５は機器操作を展開した図の一例である。図６は第１実施形態に係るリモート操作画面の一例である。まず、リモート接続端末１００の制御部７５３はキーボード７１０から機器一覧画面を要求する指示を受け付けると、制御部７５３は機器一覧画面を要求する情報を生成する。通信部７５２は制御部７５３が機器一覧画面を要求する情報を生成すると、その情報をサーバ装置２００に送信する。
【００４１】
サーバ装置２００の情報処理部２２０は機器一覧画面を要求する情報を受け付けると、機器一覧画面の画面情報をリモート接続端末１００に向けて送信する。これにより、図４に示すように、リモート接続端末１００は機器一覧画面を表示する。機器一覧画面上には、機器情報記憶部２１０が記憶する機器情報の一部の項目が出現する。例えばコンピュータ名の項目には被接続端末３００，３１０，３２０の名称が出現する。例えばＩＰｖ４アドレスの項目には被接続端末３００，３１０，３２０に割り当てられたＩＰアドレスが出現する。これにより、管理者はサーバ装置２００が管理する被接続端末３００，３１０，３２０に関する種々の情報を確認することができる。
【００４２】
次いで、制御部７５３はキーボード７１０からリモート操作画面を要求する指示を受け付けると、制御部７５３はリモート操作画面を要求する情報を生成する。より詳しくは、図４に示すように、ポインタＰｔにより機器一覧画面上の特定の項目Ｘ１（例えばチェックボックス）１つが指定されて、特定の画像１０（例えば機器操作ボタン）が指示されると、制御部７５３は当該指示を受け付け、図５に示すように、画像１０を展開し、複数の選択項目をディスプレイ７２０に表示する。さらに、図５に示すように、ポインタＰｔにより特定の選択項目１１が指示されると、制御部７５３は当該指示を受け付け、制御部７５３は１台用のリモート操作画面を要求する情報を生成する。通信部７５２は制御部７５３が１台用のリモート操作画面を要求する情報を生成すると、その情報をサーバ装置２００に送信する。尚、詳細は第２実施形態で説明するが、特定の項目Ｘ１，Ｘ２，Ｘ３が指定された場合、制御部７５３は複数台用のリモート操作画面を要求する情報を生成する。
【００４３】
サーバ装置２００の情報処理部２２０は１台用のリモート操作画面を要求する情報を受け付けると、１台用のリモート操作画面の画面情報をリモート接続端末１００に向けて送信する。これにより、図６に示すように、リモート接続端末１００は１台用のリモート操作画面を表示する。リモート操作画面上には、接続先への接続手法を入力する入力欄２１、リモート操作を行う担当者を入力する入力欄２２、接続理由を選択する選択欄２３、及び備考を入力する入力欄２４が出現する。リモート操作画面により、管理者はリモート接続を行う被接続端末３００，３１０，３２０を特定することができる。尚、詳細は後述するが、入力欄２１には接続手法として被接続端末３００，３１０，３２０のコンピュータ名が入力されてもよいし、被接続端末３００，３１０，３２０のＩＰアドレスが入力されてもよい。
【００４４】
続いて、図７から図１１までを参照して、リモート接続端末１００と被接続端末３００との処理に関するそれぞれの動作について説明する。尚、被接続端末３１０，３２０の処理については基本的に被接続端末３００と同様であるため、説明を省略する。
【００４５】
図７はリモート接続端末１００の動作の一例を示すフローチャート（その１）である。図８は被接続端末３００の動作の一例を示すフローチャートである。図９はリモート接続端末１００の動作の一例を示すフローチャート（その２）である。図１０は第１実施形態に係るモニタウィンドウ３０の一例である。図１１はリモート接続端末１００の動作の一例を示すフローチャート（その３）である。
【００４６】
まず、図７に示すように、制御部７５３はＩＰアドレスが指定されたか否かを判断する（ステップＳ１０１）。より詳しくは、図６に示すリモート操作画面上の入力欄２１においてＩＰアドレスが指定された状態で特定の画像２５（例えばＯＫボタン）が指示されたか否かを判断する。
【００４７】
例えば入力欄２１においてコンピュータ名が入力されている場合には、制御部７５３はＩＰアドレスが指定されていないと判断し（ステップＳ１０１：ＮＯ）、サーバ装置２００に対しＤＮＳを問い合わせる（ステップＳ１０２）。これにより、コンピュータ名に応じたＩＰアドレスが特定される。一方、入力欄２１においてＩＰアドレスが入力されている場合には、制御部７５３はＩＰアドレスが指定されていると判断し（ステップＳ１０１：ＹＥＳ）、ステップＳ１０２の処理をスキップする。
【００４８】
ＩＰアドレスが入力されている場合、又は、ステップＳ１０２の処理が完了すると、制御部７５３は通信部７５２を通じて被接続端末３００に対し接続を要求する（ステップＳ１０３）。第１実施形態では、コンピュータ名「ＰＣ００１」が入力されているため（図６参照）、制御部７５３はコンピュータ名「ＰＣ００１」が付与された被接続端末３００に接続を要求する。
【００４９】
一方、図８に示すように、被接続端末３００の制御部８５３はリモート接続端末１００から接続要求があるまで待機する（ステップＳ２０１）。リモート接続端末１００から接続要求があると（ステップＳ２０１：ＹＥＳ）、制御部８５３はリモート接続端末１００からの接続要求に応答する（ステップＳ２０２）。これにより、リモート接続端末１００と被接続端末３００が接続される。ステップＳ２０２の処理が完了すると、制御部８５３はリモート接続端末１００から画面情報が要求されるまで待機する（ステップＳ２０３：ＮＯ）。
【００５０】
図７に戻り、リモート接続端末１００の制御部７５３は被接続端末３００から応答があると（ステップＳ１０４：ＹＥＳ）、さらに、ディスプレイの選択があるか否かを判断する（ステップＳ１０５）。ディスプレイの選択がない場合（ステップＳ１０５：ＮＯ）、制御部７５３はプライマリのディスプレイを既定値として選択する（ステップＳ１０６）。
【００５１】
一方、ディスプレイの選択がある場合（ステップＳ１０５：ＹＥＳ）、制御部７５３はステップＳ１０６の処理をスキップする。ディスプレイの選択がある場合、又は、プライマリのディスプレイが選択された場合、制御部７５３は被接続端末３００に対し画面情報を要求する（ステップＳ１０７）。より詳しくは、制御部７５３は選択したディスプレイ又はプライマリのディスプレイに関する画面情報を要求する。
【００５２】
一方、図８に示すように、リモート接続端末１００から画面情報が要求されると（ステップＳ２０３：ＹＥＳ）、制御部８５３は記憶部８５１から画面情報を取得する（ステップＳ２０４）。より詳しくは、制御部８５３は記憶部８５１から画面情報と設定情報と識別情報とを取得する。ステップＳ２０４の処理が完了すると、次いで、制御部８５３は通信部８５２を通じてリモート接続端末１００に画面情報を送信する（ステップＳ２０５）。より詳しくは、制御部８５３は画面情報と設定情報と識別情報を対応付けた情報を送信する。
【００５３】
図９に移り、リモート接続端末１００の制御部７５３は被接続端末３００から送信された情報を受け付けると、その情報に基づいて被接続端末３００がマルチディスプレイタイプか否かを判断する（ステップＳ３０１）。例えば、制御部７５３が受け付けた設定情報にリモート画面の位置関係が含まれていたり、制御部７５３が複数の識別情報を受け付けたりした場合には、制御部７５３は被接続端末３００が複数のマルチディスプレイタイプであると判断する（ステップＳ３０１：ＹＥＳ）。逆に、制御部７５３が受け付けた設定情報にリモート画面の位置関係が含まれていなかったり、制御部７５３が１つの識別情報を受け付けたりした場合には、制御部７５３はマルチディスプレイタイプでないと判断する（ステップＳ３０１：ＮＯ）。
【００５４】
ここで、マルチディスプレイタイプである場合、さらに、制御部７５３は切替ウィンドウの有無を判断する（ステップＳ３０２）。切替ウィンドウは後述するモニタウィンドウの全体又は大部分に表示するリモート画面を切り替えるための選択用ディスプレイを操作部品として含んだ表示領域である。より詳しくは、図１０に示すように、制御部７５３は自画面に重畳するモニタウィンドウ３０上に切替ウィンドウ３１があるか否かを判断する。切替ウィンドウがない場合（ステップＳ３０２：ＹＥＳ）、制御部７５３は複数の選択用ディスプレイを含む切替ウィンドウを生成し（ステップＳ３０３）、生成した切替ウィンドウを表示する（ステップＳ３０４）。これにより、図１０に示すように、選択用ディスプレイ３２，３３，３４を含む切替ウィンドウ３１がモニタウィンドウ３０上に表示される。図１０において切替ウィンドウ３１は右隅に示されているが、切替ウィンドウ３１はモニタウィンドウ３０の領域内において上下左右に移動させることができる。
【００５５】
尚、モニタウィンドウ３０上には切替ウィンドウ３１に加え、図１０に示すように、操作パネル３５も表示される。操作パネル３５はモニタウィンドウ３０に表示されるリモート画面に対して実行可能な複数のアイコンを含んでいる。例えばカメラを表すアイコン３５ａが指示されると、リモート画面の静止画（いわゆるスナップショット）を保持することができる。例えば、拡大を表すアイコン３５ｂが指示されると、モニタウィンドウ３０の大きさを自画面の大きさに合わせることができる。例えば、接続先がマルチディスプレイであることを表すアイコン３５ｃが指示されると、切替ウィンドウ３１を表示させたり、表示を停止させたりすることができる。尚、番号表示部３５ｄはディスプレイの総数を分母に、現在表示しているディスプレイ番号を分子に示している。ボタン３５ｄ１が指示されると、表示対象ディスプレイを順に進めることができ、ボタン３５ｄ２が指示されると、表示対象ディスプレイを逆に進めることができる。
【００５６】
一方、図９に示すステップＳ３０２の処理において、制御部７５３は切替ウィンドウがあると判断した場合（ステップＳ３０２：ＮＯ）、さらに、切替ウィンドウがクローズされたか否かを判断する（ステップＳ３０５）。より詳しくは、制御部７５３は図１０に示す特定の画像３１ａ（例えばクローズボタン）が指示されたか否かを判断する。制御部７５３は切替ウィンドウがクローズされていないと判断した場合（ステップＳ３０５：ＮＯ）、切替ウィンドウを更新する（ステップＳ３０６）。すなわち、既に切替ウィンドウ３１がある場合には、切替ウィンドウ３１に含まれる選択用ディスプレイ３２，３３，３４を更新する。逆に、制御部７５３は切替ウィンドウがクローズされたと判断した場合（ステップＳ３０５：ＹＥＳ）、ステップＳ３０６の処理をスキップする。この場合、切替ウィンドウ３１はモニタウィンドウ３０から消失する。
【００５７】
また、図９に示すステップＳ３０１の処理において、被接続端末３００がマルチディスプレイタイプでない場合、さらに、制御部７５３は切替ウィンドウがあるか否かを判断する（ステップＳ３０７）。切替ウィンドウがある場合（ステップＳ３０７：ＹＥＳ）、制御部７５３は切替ウィンドウをクローズする（ステップＳ３０８）。すなわち、マルチウィンドウタイプではないため、ディスプレイを選択する機会がないので、切替ウィンドウ３１はクローズされる。逆に、制御部７５３は切替ウィンドウがないと判断した場合（ステップＳ３０７：ＮＯ）、ステップＳ３０８の処理をスキップする。
【００５８】
ステップＳ３０４，Ｓ３０６，Ｓ３０８の処理が完了すると、図１１に示すように、制御部７５３は選択したディスプレイが被接続端末３００にあったか否かを判断する（ステップＳ４０１）。選択したディスプレイが被接続端末３００にあった場合（ステップＳ４０１：ＹＥＳ）、制御部７５３は選択したディスプレイ８２０のリモート画面をモニタウィンドウに表示する（ステップＳ４０２）。これにより、図１０に示すように、モニタウィンドウ３０は選択したディスプレイ８２０のリモート画面を中央部に表示する。図１０では一例として被接続端末３００が備える中央のディスプレイ８２０（図１参照）のリモート画面がモニタウィンドウ３０の中央部に表示されている。尚、この際、このリモート画面上に識別情報「Ａ−２」を一時的（例えば数秒間）に表示させてもよい。
【００５９】
また、この際、制御部７５３は選択したディスプレイ８２０のリモート画面を縮小した選択用ディスプレイ３３を切替ウィンドウ３１内に識別情報「Ａ−２」とともに表示する。一方、識別情報「Ａ−２」が表示された選択用ディスプレイ３３の両隣りには識別情報「Ａ−１」、「Ａ−３」が表示された選択用ディスプレイ３２，３４が表示されている。選択しなかったディスプレイ８２０については、制御部７５３は画面情報を取得していないため、リモート画面を示さない選択用ディスプレイ３２，３４を表示する。
【００６０】
一方、ステップＳ４０１の処理において、選択したディスプレイが被接続端末３００になかった場合（ステップＳ４０１：ＮＯ）、上述したステップＳ１０６（図７参照）の処理に戻る。したがって、制御部７５３はプライマリのディスプレイを選択して後続の処理を実行する。
【００６１】
ステップＳ４０２の処理が完了すると、次いで、制御部７５３はキーボード７１０からの切断要求があったか否かを判断する（ステップＳ４０３）。切断要求がなかった場合（ステップＳ４０３：ＮＯ）、制御部７５３は上述したステップＳ１０５（図７参照）の処理に戻る。したがって、制御部７５３は再びディスプレイの選択があったか否かを判断する。
【００６２】
一方、切断要求があった場合（ステップＳ４０３：ＹＥＳ）、又は上述したステップＳ１０４（図７参照）の処理において応答がなかった場合（ステップＳ１０４：ＮＯ）、制御部７５３はキーボード７１０から再接続要求があったか否かを判断する（ステップＳ４０４）。再接続要求があった場合（ステップＳ４０４：ＹＥＳ）、制御部７５３は上述したステップＳ１０３（図７参照）の処理に戻る。したがって、制御部７５３は再び被接続端末３００に対し接続を要求する。
【００６３】
一方、再接続要求がなかった場合（ステップＳ４０４：ＮＯ）、制御部７５３はキーボード７１０から終了要求があったか否かを判断する（ステップＳ４０５）。終了要求がなかった場合（ステップＳ４０４：ＮＯ）、制御部７５３はステップＳ４０４の処理に戻る。したがって、制御部７５３は再び再接続要求があったか否かを判断する。一方、終了要求があった場合（ステップＳ４０４：ＹＥＳ）、制御部７５３は処理を終了する。
【００６４】
以上、第１実施形態によれば、リモート接続端末１００は制御部７５３を含んでいる。制御部７５３は複数のディスプレイ８２０に表示される複数のリモート画面と、複数のディスプレイ８２０を識別する複数の識別情報と、複数のディスプレイの位置関係に関する設定情報とを受け付ける。また、制御部７５３は受け付けた複数のリモート画面のいずれかのリモート画面をリモート接続端末１００のディスプレイ７２０に表示するとともに、受け付けた複数の識別情報を、受け付けた設定情報に応じた位置関係で表示する。これにより、複数のディスプレイ８２０の中のどのディスプレイ８２０に表示されたリモート画面であるかを識別可能な識別情報を表示することができる。したがって、ユーザ同士がどの識別情報のリモート画面であるかを確認しながら話し合いを円滑に進めることができる。
【００６５】
（第２実施形態）
続いて、図１２から図１４を参照して、本件の第２実施形態について説明する。図１２は第２実施形態に係る機器一覧画面の一例である。図１３は第２実施形態に係るリモート操作画面の一例である。図１４は第２実施形態に係るモニタウィンドウの一例である。
【００６６】
第１実施形態では、図４を参照して説明したように、ポインタＰｔにより特定の１つの項目Ｘ１が指定されて、特定の画像１０が指示されると、制御部７５３が当該指示を受け付け、図５に示すように、画像１０を展開し、複数の選択項目をディスプレイ７２０に表示させる。
【００６７】
一方、第２実施形態では、図１２を参照して説明するように、ポインタＰｔにより特定の複数の項目Ｘ１，Ｘ２，Ｘ３が指定されて、特定の画像１０が指示されると、制御部７５３は当該指示を受け付け、第１実施形態と同様に、画像１０を展開し、複数の選択項目をディスプレイ７２０に表示させる（図５参照）。
【００６８】
さらに、ポインタＰｔにより特定の選択項目１１が指示されると（図５参照）、制御部７５３は当該指示を受け付け、制御部７５３は複数台用のリモート操作画面を要求する情報を生成する。通信部７５２は制御部７５３が複数台用のリモート操作画面を要求する情報を生成すると、その情報をサーバ装置２００に送信する。
【００６９】
サーバ装置２００の情報処理部２２０は複数台用のリモート操作画面を要求する情報を受け付けると、複数台用のリモート操作画面の画面情報をリモート接続端末１００に向けて送信する。これにより、図１３に示すように、リモート接続端末１００は複数台用のリモート操作画面を表示する。リモート操作画面上には、接続先の接続手法を入力する複数の入力欄４１、リモート操作を行う担当者を入力する入力欄４２、接続理由を選択する選択欄４３、及び備考を入力する入力欄４４が出現する。複数台用のリモート操作画面により、管理者はリモート接続を行う被接続端末３００，３１０，３２０を指定することができる。尚、入力欄４１には接続手法として被接続端末３００，３１０，３２０のコンピュータ名が入力されてもよいし、被接続端末３００，３１０，３２０のＩＰアドレスが入力されてもよい。
【００７０】
さらに、複数台用のリモート操作画面上の入力欄４１においてコンピュータ名が指定された状態で特定の画像４５（例えばＯＫボタン）が指示された場合、図１４に示すように、制御部７５３はディスプレイ７１０にモニタウィンドウ５０を表示する。モニタウィンドウ５０は切替部５１を含んでおり、切替部５１は選択用ディスプレイ５２，５３，５４，５５，５６を含んでいる。
【００７１】
特に、選択用ディスプレイ５２，５３，５４，５５，５６にはそれぞれ識別情報「Ａ−１」、「Ａ−３」、「Ｂ−１」、「Ｃ−１」、「Ｃ−３」が重畳して表示されている。尚、図１４では識別情報「Ａ−２」、「Ｂ−１」、「Ｃ−２」が設定されたディスプレイ８２０の各画面情報を制御部７５３が取得し、残りの識別情報が設定されたディスプレイ８２０の各画面情報を取得しなかった例を表している。選択用ディスプレイ５２，５３，５４，５５，５６のいずれかが選択されることにより、制御部７５３は選択された選択用ディスプレイ５２，５３，５４，５５，５６のいずれかをモニタウィンドウ５０の中央部に拡大して表示するとともに、識別情報を中央部に一時的（例えば数秒間）に表示する。このように、第２実施形態によっても、複数のディスプレイ８２０の中のどのディスプレイ８２０に表示されたリモート画面であるかを識別可能な情報を表示することができる。
【００７２】
（第３実施形態）
続いて、図１５を参照して、本件の第３実施形態について説明する。
図１５は切替ウィンドウ３１に出現する選択用ディスプレイの配置の一例について説明する図である。図１５に示すように、制御部７５３は設定情報に応じて選択用ディスプレイ６１，６２，６３を様々な配置形態で切替ウィンドウ３１内に表示する。例えば複数のディスプレイ８２０の配置が左右で逆転していれば、図１５（ａ）に示すように、制御部７５３は設定情報に応じて選択用ディスプレイ６１，６２，６３の左右の配置を変更してもよい。例えば複数のディスプレイ８２０が縦に配置されていれば、図１５（ｂ）に示すように、制御部７５３は設定情報に応じて選択用ディスプレイ６１，６２，６３を縦に配置してもよい。例えば横型のディスプレイ８２０と縦型のディスプレイ８２０が混在していれば、図１５（ｃ）に示すように、制御部７５３は設定情報に応じて選択用ディスプレイ６１の向きを横に、選択用ディスプレイ６２の向きを縦に配置してもよい。すなわち、選択用ディスプレイ６１，６２を異なる向きで配置してもよい。以上、第３実施形態によっても、複数のディスプレイの中のどのディスプレイに表示された画像であるかを識別可能な情報を表示することができる。
【００７３】
以上、本発明の好ましい実施形態について詳述したが、本発明に係る特定の実施形態に限定されるものではなく、特許請求の範囲に記載された本発明の要旨の範囲内において、種々の変形・変更が可能である。例えば、上述した第１実施形態及び第２実施形態では識別情報を一時的に表示させたが、識別情報を常時表示させてもよい。
【００７４】
なお、以上の説明に関して更に以下の付記を開示する。
（付記１）複数のディスプレイに表示される複数の画像情報と、前記複数のディスプレイを識別する複数の識別情報と、前記複数のディスプレイの位置関係に関する設定情報とを受け付け、受け付けた前記複数の画像情報のいずれかの画像情報を自装置のディスプレイに表示するとともに、受け付けた前記複数の識別情報を、受け付けた前記設定情報に応じた位置関係で表示する、処理をコンピュータに実行させることを特徴とする表示制御プログラム。
（付記２）前記いずれかの画像情報を前記自装置のディスプレイの大きさで表示するとともに、前記自装置のディスプレイの大きさより小さな表示領域内に、前記複数の識別情報を前記設定情報に応じた位置関係で表示する、ことを特徴とする付記１に記載の表示制御プログラム。
（付記３）前記表示領域は、前記いずれかの画像情報に重畳しながら移動可能である、ことを特徴とする付記２に記載の表示制御プログラム。
（付記４）前記複数の識別情報を、前記設定情報に応じた位置関係で配置した、前記複数のディスプレイの向きに応じた所定の画像上に表示する、ことを特徴とする付記１から３のいずれか１項に記載の表示制御プログラム。
（付記５）特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の識別情報に基づき、前記複数のディスプレイそれぞれに対応付けられた複数の操作部品を自装置のディスプレイに表示し、表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、処理をコンピュータに実行させることを特徴とする表示制御プログラム。
（付記６）特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、処理をコンピュータに実行させることを特徴とする表示制御プログラム。
（付記７）複数のディスプレイに表示される複数の画像情報と、前記複数のディスプレイを識別する複数の識別情報と、前記複数のディスプレイの位置関係に関する設定情報とを受け付け、受け付けた前記複数の画像情報のいずれかの画像情報を自装置のディスプレイに表示するとともに、受け付けた前記複数の識別情報を、受け付けた前記設定情報に応じた位置関係で表示する、処理をコンピュータが実行することを特徴とする表示制御方法。
（付記８）特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の識別情報に基づき、前記複数のディスプレイそれぞれに対応付けられた複数の操作部品を自装置のディスプレイに表示し、表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、処理をコンピュータが実行することを特徴とする表示制御方法。
（付記９）特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、処理をコンピュータが実行することを特徴とする表示制御方法。
（付記１０）複数のディスプレイに表示される複数の画像情報と、前記複数のディスプレイを識別する複数の識別情報と、前記複数のディスプレイの位置関係に関する設定情報とを受け付け、受け付けた前記複数の画像情報のいずれかの画像情報を自装置のディスプレイに表示するとともに、受け付けた前記複数の識別情報を、受け付けた前記設定情報に応じた位置関係で表示する、処理を実行する処理部を含むことを特徴とする表示制御装置。
（付記１１）前記処理部は、前記いずれかの画像情報を前記自装置のディスプレイの大きさで表示するとともに、前記自装置のディスプレイの大きさより小さな表示領域内に、前記複数の識別情報を前記設定情報に応じた位置関係で表示する、ことを特徴とする付記１０に記載の表示制御装置。
（付記１２）前記表示領域は、前記いずれかの画像情報に重畳しながら移動可能である、ことを特徴とする付記１１に記載の表示制御装置。
（付記１３）前記処理部は、前記複数の識別情報を、前記設定情報に応じた位置関係で配置した、前記複数のディスプレイの向きに応じた所定の画像上に表示する、ことを特徴とする付記１０から１２のいずれか１項に記載の表示制御装置。
（付記１４）特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の識別情報に基づき、前記複数のディスプレイそれぞれに対応付けられた複数の操作部品を自装置のディスプレイに表示し、表示した前記複数の操作部品のうち、いずれかの操作部品の選択を受け付けると、受け付けた前記複数の画像情報のうち、選択された前記いずれかの操作部品に対応するディスプレイに表示される画像情報を、前記自装置のディスプレイに表示する、処理を実行する処理部を含むことを特徴とする表示制御装置。
（付記１５）特定の装置により生成された、複数のディスプレイに表示される複数の画像情報と、それぞれが前記複数のディスプレイのいずれかに表示される、前記複数のディスプレイを識別する複数の識別情報とを受け付け、受け付けた前記複数の画像情報のいずれかの画像情報を自装置のディスプレイに表示するとともに、受け付けた前記複数の識別情報を、前記複数の識別情報のうち、前記いずれかの画像情報が表示されるディスプレイの識別情報が区別可能な態様で表示する、処理を実行する処理部を含むことを特徴とする表示制御装置。
【符号の説明】
【００７５】
Ｓ  情報処理システム
１００  リモート接続端末
２００  サーバ装置
３００，３１０，３２０  被接続端末
７５０，８５０  制御装置
７５１，８５１  記憶部
７５２，８５２  通信部
７５３，８５３  制御部
【図１】
2018067209.tif 000003
【図２】
2018067209.tif 000004
【図３】
2018067209.tif 000005
【図４】
2018067209.tif 000006
【図５】
2018067209.tif 000007
【図６】
2018067209.tif 000008
【図７】
2018067209.tif 000009
【図８】
2018067209.tif 000010
【図９】
2018067209.tif 000011
【図１０】
2018067209.tif 000012
【図１１】
2018067209.tif 000013
【図１２】
2018067209.tif 000014
【図１３】
2018067209.tif 000015
【図１４】
2018067209.tif 000016
【図１５】
2018067209.tif 000017